(57)【要約】      （修正有）【課題】スマートフォンを連結してメッセージデータを自動車のウインドシールドガラスに表示できるヘッドアップディスプレイを提供する。【解決手段】スマートフォンヘッドアップディスプレイＡは、ＧＰＳモジュール１１、短距離無線伝送モジュール１２、ベース２、表示モジュール３、ホトセンスモジュール４、及び半透明反射板５を包含する。これにより、短距離無線伝送モジュールを利用してスマートフォン及びＧＰＳモジュールより伝送された関係メッセージデータを、表示モジュールにより表示し、映像を反射鏡像の方式で半透明反射板に表示し、これにより、ドライバーが頭を下げてメッセージを見る危険を防止し、運転の安全を確保する。【選択図】図２
0003183407.tif 000002
【実用新案登録請求の範囲】
【請求項１】
スマートフォンヘッドアップディスプレイにおいて、
ＧＰＳシステムのメッセージを受け取り車両をポジショニングするＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサを包含し、それは電気的に該ＧＰＳモジュールと該短距離無線伝送モジュールに接続され、データ処理と表示を行ない、上表面に表示開口が設けられた、ベースと、
該回路板に電気的に接続され、該表示開口に設けられて該回路板が出力する映像を受け取り、映像を鏡像表示する、表示モジュールと、
該回路板に電気的に接続され、環境の輝度を検出して、該表示モジュールの輝度を調整する、ホトセンスモジュールと、
車両のウインドシールドガラス内側に貼られて、該表示モジュールの映像を反射鏡像表示する半透明反射板と、
を包含することを特徴とする、スマートフォンヘッドアップディスプレイ。
【請求項２】
請求項１記載のスマートフォンヘッドアップディスプレイにおいて、該ベースは車両のダッシュボードの上方に置かれるか、ダッシュボードのウインドシールドガラス下方に埋め込まれることを特徴とする、スマートフォンヘッドアップディスプレイ。
【請求項３】
請求項１記載のスマートフォンヘッドアップディスプレイにおいて、撮影レンズをさらに包含し、該撮影レンズ起動時に、撮影レンズのフレームに自動切り換え表示し、後方映像表示の機能を達成することを特徴とする、スマートフォンヘッドアップディスプレイ。
【請求項４】
請求項１記載のスマートフォンヘッドアップディスプレイにおいて、スピーカをさらに包含し、該スピーカにより、スマートフォンから送られた音声ファイル或いはアラーム音を再生することを特徴とする、スマートフォンヘッドアップディスプレイ。
【請求項５】
請求項１記載のスマートフォンヘッドアップディスプレイにおいて、該短距離無線伝送モジュールはブルートゥース或いはＷｉＦｉとされることを特徴とする、スマートフォンヘッドアップディスプレイ。
【請求項６】
スマートフォンヘッドアップディスプレイにおいて、
ＧＰＳシステムのメッセージを受け取り車両のポジショニングを行うＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサを包含し、それは電気的に該ＧＰＳモジュールと該短距離無線伝送モジュールに接続され、データ処理と表示を行ない、上表面に表示開口が設けられた、ベースと、
立体音声出力ポートであって、該回路板に電気的に接続され、該スマートフォンの音楽を再生し、該スマートフォンは無線で音声信号を該短距離無線伝送モジュールに伝送し、該音声信号は、該回路板を介して該立体音声出力ポートに伝送され、該立体音声出力ポートは自動車音響装置に接続されて、該自動車音響装置によりその音声を再生する、上記立体音声出力ポートと、
該回路板に電気的に接続され、該スマートフォンから送られた音声ファイル或いはアラーム音を再生するスピーカと、
該回路板に電気的に接続され、該表示開口に設けられて該回路板が出力する映像を受け取り、映像を鏡像表示する、表示モジュールと、
該回路板に電気的に接続され、環境の輝度を検出し、該表示モジュールの輝度を調整する、ホトセンスモジュールと、
車両のウインドシールドガラス内側に貼り付けられて、該表示モジュールの映像を反射鏡像表示する半透明反射板と、
を包含することを特徴とする、スマートフォンヘッドアップディスプレイ。
【請求項７】
請求項６記載のスマートフォンヘッドアップディスプレイにおいて、該ベースは車両のダッシュボードの上方に置かれるか、ダッシュボードのウインドシールドガラス下方に埋め込まれることを特徴とする、スマートフォンヘッドアップディスプレイ。
【請求項８】
請求項６記載のスマートフォンヘッドアップディスプレイにおいて、マイクロホンをさらに包含し、該マイクロホンは該回路板に電気的に接続され、該スピーカと組み合わされて電話のハンドフリー装置を形成することを特徴とする、スマートフォンヘッドアップディスプレイ。
【請求項９】
請求項６記載のスマートフォンヘッドアップディスプレイにおいて、撮影レンズをさらに包含し、該撮影レンズ起動時に、撮影レンズのフレームに自動切り換え表示し、後方映像表示の機能を達成することを特徴とする、スマートフォンヘッドアップディスプレイ。
【請求項１０】
請求項６記載のスマートフォンヘッドアップディスプレイにおいて、該立体音声出力ポートはその音声信号の伝送が、有線で該自動車音響装置のＡＵＸ入力ポートに接続されることによってなされることを特徴とする、スマートフォンヘッドアップディスプレイ。
【請求項１１】
請求項６記載のスマートフォンヘッドアップディスプレイにおいて、該立体音声出力ポートはＦＭ無線送信機とされ、それは音声信号を無線で送信し、該自動車音響装置のＦＭ受信機により該音声信号が受信されることを特徴とする、スマートフォンヘッドアップディスプレイ。
【請求項１２】
請求項６記載のスマートフォンヘッドアップディスプレイにおいて、該短距離無線伝送モジュールはブルートゥース或いはＷｉＦｉとされることを特徴とする、スマートフォンヘッドアップディスプレイ。
【請求項１３】
スマートフォンヘッドアップディスプレイにおいて、
携帯式保存媒体スロットと、
ＧＰＳシステムのメッセージを受け取り車両のポジショニングを行うＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサとマルチメディア再生プログラムを格納したマルチメディア再生プログラム格納手段を包含し、該回路板は電気的に該ＧＰＳモジュールと該短距離無線伝送モジュールに接続され、データ処理と表示を行ない、上表面に表示開口が設けられた、ベースと、
立体音声出力ポートであって、該回路板に電気的に接続され、携帯式保存媒体スロットに挿入された携帯式保存媒体より該マルチメディア再生プログラムにより読み出した音楽ファイルの音声データが該回路板を介して該立体音声出力ポートに伝送され、該立体音声出力ポートはならびに自動車音響装置に接続され、該自動車音響装置よりその音声を再生する、上記立体音声出力ポートと、
該回路板に電気的に接続され、該スマートフォンから送られた音声ファイル或いはアラーム音を再生するスピーカと、
該回路板に電気的に接続され、該表示開口に設けられて該回路板の出力する映像を受け取り、映像を鏡像表示する、表示モジュールと、
該回路板に電気的に接続され、環境の輝度を検出し、該表示モジュールの輝度を調整する、ホトセンスモジュールと、
車両のウインドシールドガラス内側に貼り付けられて、該表示モジュールの映像を反射鏡像表示する半透明反射板と、
を包含することを特徴とする、スマートフォンヘッドアップディスプレイ。
【請求項１４】
請求項１３記載のスマートフォンヘッドアップディスプレイにおいて、該ベースは車両のダッシュボードの上方に置かれるか、ダッシュボードのウインドシールドガラス下方に埋め込まれることを特徴とする、スマートフォンヘッドアップディスプレイ。
【請求項１５】
請求項１３記載のスマートフォンヘッドアップディスプレイにおいて、撮影レンズをさらに包含し、該撮影レンズ起動時に、撮影レンズのフレームに自動切り換え表示し、後方映像表示の機能を達成することを特徴とする、スマートフォンヘッドアップディスプレイ。
【請求項１６】
請求項１３記載のスマートフォンヘッドアップディスプレイにおいて、該立体音声出力ポートはその音声信号の伝送が、有線で該自動車音響装置のＡＵＸ入力ポートに接続されることによってなされることを特徴とする、スマートフォンヘッドアップディスプレイ。
【請求項１７】
請求項１３記載のスマートフォンヘッドアップディスプレイにおいて、該立体音声出力ポートはＦＭ無線送信機とされ、それは音声信号を無線で送信し、該自動車音響装置のＦＭ受信機により該音声信号が受信されることを特徴とする、スマートフォンヘッドアップディスプレイ。
【請求項１８】
請求項１３記載のスマートフォンヘッドアップディスプレイにおいて、該短距離無線伝送モジュールはブルートゥース或いはＷｉＦｉとされることを特徴とする、スマートフォンヘッドアップディスプレイ。
【請求項１９】
請求項１３記載のスマートフォンヘッドアップディスプレイにおいて、マイクロホンをさらに包含し、該マイクロホンは該回路板に電気的に接続され、該スピーカと組み合わされて電話のハンドフリー装置の機能を兼ね備えることを特徴とする、スマートフォンヘッドアップディスプレイ。
【考案の詳細な説明】
【技術分野】
【０００１】
スマートフォンヘッドアップディスプレイは、特に、スマートフォンを接続してメッセージ映像を自動車のウインドシールドガラス上に表示できるヘッドアップディスプレイを指し、これにより、ドライバーが頭を下げてメッセージを見る危険を防止し、運転の安全を確保するものに関する。
【背景技術】
【０００２】
スマートフォンの機能は強大で、インターメットと無線通信技術の勃興に伴い、スマートフォンはしだいに多くの電子装置にとってかわり、並びに随時外来メッセージを受信でき、車上ではナビゲーション装置とされ得て、ならびにオンラインでき或いは友人とメッセージ通信を行える。スマートフォンは相当に便利であるが、操作と閲読が発生する注意力分散或いは視線の道路からの乖離は、ドライバーの安全に対して危険を形成する。これにより、多くの国家では、法律で運転中のスマートフォンの使用について制限を設けており、すなわち、そのために、スマートフォンを車両ナビゲーション装置に充当するため、多くのドライバーがスタンドを利用し、スマートフォンをダッシュボード上に設置している。このような方式は、法律違反を回避できるものの、却ってドライバーの視線を妨げ、万一車両に衝突が発生した時は、容易にドライバー或いは乗客に危険を形成し、さらに重要なことは、ドライバーは必要時にスマートフォンを操作しなければならないため、直接運転の安全に影響が生じるということである。
【０００３】
ヘッドアップディスプレイ（Ｈｅａｄ  Ｕｐ  Ｄｉｓｐｌａｙ）の配備は、最も早期は航空技術に由来し、もともとは、パイロットに必要な情報を獲得させるのに便利で、頭を下げてメーター上の情報をチェックする必要をなくし、直接メッセージをキャビン前端に投射することで、簡単に外界のビューとヘッドアップディスプレイが表示するデータを一つに結合させることができる。反射して眼中に進入する映像と飛行機の中軸は平衡し、ゆえに、パイロットの身長は、仰俯角或いは目視照準に対して偏差を形成することがない。ヘッドアップディスプレイは、パイロットが頭を下げなくともダッシュボード上の表示データを見えるようにし、終始ヘッドアップの姿勢を保持させ、ヘッドダウンとヘッドアップの間に、外界環境の急速な変化を見逃したり、眼の焦点を不断に調整することで遅延と不適を発生したりするのを防止する。
【０００４】
通常運転時には、ドライバーの視線が前方道路を離れることが、事故の最大の原因である。ドライバーの視線が前方道路を離れる回数と時間を減らすため、自動車メーカーの高級車にはヘッドアップディスプレイが配備されているものがあり、ドライバーの視線がフロントウインドシールドガラスから離れなくても、時速、エンジン回転速度等のデータを得られるようにし、これにより運転の安全を維持できるようにする。
【０００５】
一般の運転状況では、ドライバーの目が前方より離れてダッシュボードのデータを読み取るのには、最短でも０．５秒かかり、これは高速道路で時速１００ｋｍで走行し、毎秒３０ｍの距離で走行し、車が多い状況では、その危険性は相対的に増加する。もし、車にヘッドアップディスプレイを配備すれば、ドライバーの注意力分散を減らすことができ、また、この配備を販売手法とすることで、消費者の関心を引き寄せることができる。
【０００６】
現在、自動車上に使用されるヘッドアップディスプレイの技術は、飛行機上のヘッドアップディスプレイほど複雑でないが、すでに広く応用されている。それは一種の光学システムであり、一般には、プロジェクターとオーバーラップミラーの二つの主要な装置で構成されている。プロジェクターは、信号光源、投影ミラー、及びその他の光学装置を組み合わせてなる。プロジェクターの信号光源は、液晶ディスプレイ或いはＣＲＴディスプレイ等の装置で構成され、信号光源より光線が発射され、その後、プロジェクターでガラス上のオーバーラップミラー（或いは特製の透明スクリーン）に投射し、さらにオーバーラップミラーにより文字或いは画像を表示する。
【０００７】
近年、市場には、多くの、車に取り付けられる外接式ヘッドアップディスプレイが出現しており、これらのヘッドアップディスプレイの機能は、時速、回転速度、現在の水温、スロットル位置、油量、オーバースピードアラーム、後退映像、バッテリー電圧、さらには速度測定レーダーがいずれも一つに整合されている。これらの製品は、さらにスピーディーな取り付けが強調され、ただ車用コンピュータに接続すれば、余分の配線を使用する必要はない。
【０００８】
あるメーカーの高級車種では、さらにナビゲーションシステムと前後の車間距離等のデータが、ヘッドアップディスプレイの表示する情報中に加えられ、ドライバーにとって少なからぬ便利性を増している。
【０００９】
また、市販の外接式ヘッドアップディスプレイの種類は多く、価格は機能の簡単なものの数百台湾元から、品質が優れて多機能の数万台湾元のものまである。
【００１０】
上述のヘッドアップディスプレイ或いは装置は、すでに現在、自動車の注目の配備となっており、関係特許技術の応用例も多くあり、たとえば、図１に示される特許文献１の構成は、典型的な代表であり、それは一種のＧＰＳを具えた自動車ヘッドアップディスプレイであり、それは、少なくとも、コントロールユニット９０であって、電源コントロールユニット９１と電気的に接続され、該電源コントロールユニット９１より自動車のＤＣ１２Ｖ電源を入力して給電する、上記コントロールユニット９０と、ＧＰＳユニット９４であって、ポジショニングとナビゲーションを処理するための信号を該コントロールユニット９０に提供し、それはＧＰＳモジュール９４１とナビゲーションシステム９４２を包含し、該ナビゲーションシステム９４２は該ＧＰＳモジュール９４１からの信号を処理し、ナビゲーション指示メッセージを形成して該コントロールユニット９０に送る、上記ＧＰＳユニット９４と、ヘッドアップディスプレイユニット９５であって、該コントロールユニット９０と電気的に接続される上記ヘッドアップディスプレイユニット９５と、を包含する。
【００１１】
該ヘッドアップディスプレイユニット９５は、ＧＰＳユニット９４のポジショニングデータとナビゲーション指示を、車両のウインドシールドガラス上面に投射する。該コントロールユニット９０には速度計測ユニット９３が接続され、道路の速度制限情報を測定し、速度制限情報を該コントロールユニット９０に伝送し、該ヘッドアップディスプレイユニット９５により、車両のウインドシールドガラス上に投射する。
【００１２】
該コントロールユニット９０はさらに、ホトセンサ９２と電気的に接続されて、自動的に該ヘッドアップディスプレイユニット９５の輝度を調整し、該コントロールユニット９０は、スピーカ９６に接続されてオーバースピードアラーム機能を提供する。
【００１３】
上述の構成要件で構成され、それは一般の既知の技術であり、スマートフォンの機能の不断の向上と、多元支援の特性に伴い、確信できることは、このような周知のヘッドアップディスプレイ或いは装置の技術は、すでに現代のドライバーの要求を満足させられないということである。
【００１４】
たとえば、スマートフォンの再生機能を、さらに自動車の音響装置の音声再生と連結するか、電話のハンドフリー装置の操作を実行し、及び、カメラと接続して後方映像を提供する等の機能を連結するのは、いずれも現在市販されているヘッドアップディスプレイ或いは装置が直面し解決が期待されている技術的ネックである。
【先行技術文献】
【特許文献】
【００１５】
【特許文献１】台湾特許第ＴＷ  Ｍ３４０５１６号明細書
【考案の概要】
【考案が解決しようとする課題】
【００１６】
周知の欠点を鑑み、本考案者は数えきれない研究改良を重ね、終に本考案のスマートフォンヘッドアップディスプレイを完成した。すなわち、本考案の目的は、一種の、スマートフォンを連結してメッセージデータを自動車のウインドシールドガラスに表示できるヘッドアップディスプレイを提供し、これにより、ドライバーが頭を下げてメッセージを見る危険を防止し、運転の安全を確保することにある。
【課題を解決するための手段】
【００１７】
上述の本考案の目的を達成するため、本考案のスマートフォンヘッドアップディスプレイの第１実施例は、
ＧＰＳシステムのメッセージを受け取り車両をポジショニングするＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサを包含し、それは電気的に該ＧＰＳモジュールと該短距離無線伝送モジュールに接続され、データ処理と表示を行ない、上表面に表示開口が設けられた、ベースと、
該回路板に電気的に接続され、該表示開口に設けられて該回路板が出力する映像を受け取り、映像を鏡像表示する、表示モジュールと、
該回路板に電気的に接続され、環境の輝度を検出して、該表示モジュールの輝度を調整する、ホトセンスモジュールと、
車両のウインドシールドガラス内側に貼られて、該表示モジュールの映像を反射鏡像表示する半透明反射板と、
を包含する。
【００１８】
該スマートフォンヘッドアップディスプレイはさらにスピーカを包含し、それは、スマートフォンから送られた音声ファイル或いはアラーム音を再生する。
【００１９】
また、本考案のスマートフォンヘッドアップディスプレイはその第２実施例において、  ＧＰＳシステムのメッセージを受け取り車両のポジショニングを行うＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサを包含し、それは電気的に該ＧＰＳモジュールと該短距離無線伝送モジュールに接続され、データ処理と表示を行ない、上表面に表示開口が設けられた、ベースと、
立体音声出力ポートであって、該回路板に電気的に接続され、該スマートフォンの音楽を再生し、該スマートフォンは無線で音声信号を該短距離無線伝送モジュールに伝送し、該音声信号は、該回路板を介して該立体音声出力ポートに伝送され、該立体音声出力ポートは自動車音響装置に接続されて、該自動車音響装置によりその音声を再生する、上記立体音声出力ポートと、
該回路板に電気的に接続され、該スマートフォンから送られた音声ファイル或いはアラーム音を再生するスピーカと、
該回路板に電気的に接続され、該表示開口に設けられて該回路板が出力する映像を受け取り、映像を鏡像表示する、表示モジュールと、
該回路板に電気的に接続され、環境の輝度を検出し、該表示モジュールの輝度を調整する、ホトセンスモジュールと、
車両のウインドシールドガラス内側に貼り付けられて、該表示モジュールの映像を反射鏡像表示する半透明反射板と、
を包含する。
【００２０】
上述の立体音声出力ポートは、その音声信号の伝送が、有線で該自動車音響装置のＡＵＸ入力ポートに接続されることでなされる。
【００２１】
上述の立体音声出力ポートは、ＦＭ無線送信機とされ、それは音声信号を送出し、該自動車音響装置のＦＸ受信機が該音声信号を受け取る。
【００２２】
該スマートフォンヘッドアップディスプレイはさらに、マイクロホンを包含し、それは電気的に該回路板に接続され、該スピーカと組み合わされて電話のハンズフリー装置の機能を兼ね備える。
【００２３】
本考案のスマートフォンヘッドアップディスプレイの第３実施例は、
携帯式保存媒体スロットと、
ＧＰＳシステムのメッセージを受け取り車両のポジショニングを行うＧＰＳモジュールと、
スマートフォンと接続され、ＧＰＳデータをスマートフォンに伝送し、該スマートフォンからの関係表示データを受け取る、短距離無線伝送モジュールと、
内部に収容空間が設けられ、ならびに回路板が設置され、該回路板はプロセッサとマルチメディア再生プログラムを格納したマルチメディア再生プログラム格納手段を包含し、該回路板は電気的に該ＧＰＳモジュールと該短距離無線伝送モジュールに接続され、データ処理と表示を行ない、上表面に表示開口が設けられた、ベースと、
立体音声出力ポートであって、該回路板に電気的に接続され、携帯式保存媒体スロットに挿入された携帯式保存媒体より該マルチメディア再生プログラムにより読み出した音楽ファイルの音声データが該回路板を介して該立体音声出力ポートに伝送され、該立体音声出力ポートはならびに自動車音響装置に接続され、該自動車音響装置よりその音声を再生する、上記立体音声出力ポートと、
該回路板に電気的に接続され、該スマートフォンから送られた音声ファイル或いはアラーム音を再生するスピーカと、
該回路板に電気的に接続され、該表示開口に設けられて該回路板の出力する映像を受け取り、映像を鏡像表示する、表示モジュールと、
該回路板に電気的に接続され、環境の輝度を検出し、該表示モジュールの輝度を調整する、ホトセンスモジュールと、
車両のウインドシールドガラス内側に貼り付けられて、該表示モジュールの映像を反射鏡像表示する半透明反射板と、
を包含する。
【００２４】
該スマートフォンヘッドアップディスプレイはさらにマイクロホンを包含し、それは該回路板に電気的に接続され、該スピーカと組み合わされて電話のハンドフリー装置の機能を兼ね備える。
【００２５】
上述の立体音声出力ポートは、その音声信号の伝送が、有線で該自動車音響装置のＡＵＸ入力ポートに接続されることでなされる。
【００２６】
上述の立体音声出力ポートは、ＦＭ無線送信機とされ、それは音声信号を送出し、該自動車音響装置のＦＸ受信機が該音声信号を受け取る。
【００２７】
以上の各実施例のベースは、車両のダッシュボードの上方に置かれるか、ダッシュボードのウインドシールドガラス下方に埋め込まれる。
【００２８】
以上の各実施例の表示モジュールは、その輝度が少なくとも２５００ｎｉｔを達成する。
【００２９】
以上の各実施例のスマートフォンヘッドアップディスプレイは、さらに撮影レンズを包含し、撮影レンズ起動時に撮影レンズのフレーム表示に自動的に切り換え、後方映像表示機能を達成する。
【００３０】
以上の各実施例の短距離無線伝送モジュールは、ブルートゥース或いはＷｉＦｉとされる。
【考案の効果】
【００３１】
本考案のスマートフォンヘッドアップディスプレイは、ドライバーが運転する前に、設定、たとえばナビゲーション設定、交通情報表示設定、及び重要リアルタイム情報表示設定を行える。走行開始後、該スマートフォンヘッドアップディスプレイは設定に基づき、自動表示し、ドライバーが随時操作する必要がなく、該表示モジュールは交差点でのターン指示を自動表示し、該スピーカは同時に音声でガイドする。該スマートフォンヘッドアップディスプレイはさらに、随時車両の走行速度を表示でき、スマートフォンと接続されていない時、内蔵のＧＰＳモジュールによりリアルタイムで走行速度を計算して表示モジュールに表示する。該表示モジュールは、関係情報を、鏡像表示の方式で、該半透明反射板上に反射表示し、並びに情報映像のフレームを表示し、ドライバーが頭を下げてダッシュボードの速度メーターをみなくてもよくし、これにより、運転の安全に対して相当な貢献を果たす。
【図面の簡単な説明】
【００３２】
【図１】周知の技術の機能ブロック表示図である。
【図２】本考案の第１実施例の構造表示図である。
【図３】本考案の動作表示図（一）である。
【図４】本考案の動作表示図（二）である。
【図５】本考案の第２実施例の構造表示図である。
【図６】本考案の第３実施例の構造表示図である。
【考案を実施するための形態】
【００３３】
図２、３、４に示されるように、本考案のスマートフォンヘッドアップディスプレイＡは、その第１実施例は、
ＧＰＳシステムのメッセージを受け取り車両をポジショニングするＧＰＳモジュール１１と、
スマートフォンＳと接続され、ＧＰＳデータを該スマートフォンＳに伝送し、該スマートフォンＳからの関係表示データを受け取る、短距離無線伝送モジュール１２と、
内部に収容空間２１が設けられ、ならびに回路板２２が設置され、該回路板２２はプロセッサ２３を包含し、並びに電気的に該ＧＰＳモジュール１１と該短距離無線伝送モジュール１２に接続され、データ処理と表示を行ない、上表面に表示開口２４が設けられた、ベース２と、
該回路板２２に電気的に接続され、該表示開口２４に設けられて該回路板２２が出力する映像を受け取り、映像を鏡像表示する、表示モジュール３と、
該回路板２２に電気的に接続され、環境の輝度を検出して、該表示モジュール３の輝度を調整する、ホトセンスモジュール４と、
車両のウインドシールドガラス６内側に貼られて、該表示モジュールの映像を反射鏡像表示する半透明反射板５と、
を包含する。
【００３４】
上述の構成要件で構成されるスマートフォンヘッドアップディスプレイＡは、ドライバーが運転する前に、設定、たとえばナビゲーション設定、交通情報表示設定、及び重要リアルタイム情報表示設定を行える。走行開始後、該スマートフォンヘッドアップディスプレイＡは設定に基づき、自動表示し、ドライバーが随時操作する必要がなく、該表示モジュール３は交差点でのターン指示を自動表示する。該スマートフォンヘッドアップディスプレイＡはさらに、随時車両の走行速度を表示でき、スマートフォンＳと接続されていない時、内蔵のＧＰＳモジュール１１によりリアルタイムで走行速度を計算して表示モジュール３に表示する。該表示モジュール３は、関係情報を、鏡像表示の方式で、該半透明反射板５上に反射表示し、並びに情報映像のフレームＤを表示し、ドライバーが頭を下げてダッシュボードの速度メーターをみなくてもよくし、これにより、運転の安全に対して相当な貢献を果たす。
【００３５】
該スマートフォンヘッドアップディスプレイＡはさらに、スピーカ２５を包含し、それは、該回路板２２に電気的に接続され、該スマートフォンＳから伝送された音声ファイル或いはアラーム音を再生する。
【００３６】
図３、４、５を参照されたい。本考案のスマートフォンヘッドアップディスプレイＡの第２実施例は、
ＧＰＳシステムのメッセージを受け取り車両のポジショニングを行うＧＰＳモジュール１１と、
スマートフォンＳと接続され、ＧＰＳデータを該スマートフォンＳに伝送し、該スマートフォンＳからの関係表示データを受け取る、短距離無線伝送モジュール１２と、
内部に収容空間２１が設けられ、ならびに回路板２２が設置され、該回路板２２はプロセッサ２３を包含し、並びに電気的に該ＧＰＳモジュール１１と該短距離無線伝送モジュール１２に接続され、データ処理と表示を行ない、上表面に表示開口２４が設けられた、ベース２と、
立体音声出力ポート１３であって、該回路板２２に電気的に接続され、該スマートフォンＳの音楽を再生し、該スマートフォンＳは無線で音声信号を該短距離無線伝送モジュール１２に伝送し、該音声信号は、該回路板２２を介して該立体音声出力ポート１３に伝送され、該立体音声出力ポート１３は自動車音響装置８に接続されて、該自動車音響装置８によりその音声を再生する、上記立体音声出力ポート１３と、
該回路板２２に電気的に接続され、該スマートフォンＳから送られた音声ファイル或いはアラーム音を再生するスピーカ２５と、
該回路板２２に電気的に接続され、該表示開口２４に設けられて該回路板２２が出力する映像を受け取り、映像を鏡像表示する、表示モジュール３と、
該回路板２２に電気的に接続され、環境の輝度を検出し、該表示モジュール３の輝度を調整する、ホトセンスモジュール４と、
車両のウインドシールドガラス６内側に貼り付けられて、該表示モジュール３の映像を反射鏡像表示する半透明反射板５と、
を包含する。
【００３７】
該スマートフォンヘッドアップディスプレイＡはさらにマイクロホン８１を包含し、それは該回路板２２に電気的に接続されて、該スピーカ２５と組み合わされて電話のハンドフリー装置となされる。
【００３８】
上述の構成要件で構成されたスマートフォンヘッドアップディスプレイＡは、ドライバーが運転する前に、設定、たとえばナビゲーション設定、交通情報表示設定、及び重要リアルタイム情報表示設定を行える。走行開始後、該スマートフォンヘッドアップディスプレイＡは設定に基づき、自動表示し、ドライバーが随時操作する必要がなく、該表示モジュール３は交差点でのターン指示を自動表示し、該スピーカ２５は同時に音声でガイドする。該スマートフォンヘッドアップディスプレイＡはさらに、随時車両の走行速度を表示でき、スマートフォンＳと接続されていない時、内蔵のＧＰＳモジュール１１によりリアルタイムで走行速度を計算して表示モジュール３に表示する。該表示モジュール３は、関係情報を、鏡像表示の方式で、該半透明反射板５上に反射表示し、並びに情報映像のフレームＤを表示し、ドライバーが頭を下げてダッシュボードの速度メーターをみなくてもよくし、これにより、運転の安全に対して相当な貢献を果たす。
【００３９】
上述の立体音声出力ポート１３は、有線で該自動車音響装置８のＡＵＸ入力ポートに接続されるか、ＦＭ無線送信機とされ得て、それは、音声信号を無線で送信し、該自動車音響装置８のＦＭ受信機が該音声信号を受信する。
【００４０】
本考案のスマートフォンヘッドアップディスプレイＡは、該スマートフォンＳの音声出力（たとえば音楽再生）時に、さらに、該立体音声出力ポート１３を介して該自動車音響装置８の再生音声を伝送でき、該表示モジュール３が並びに楽曲名を表示する。
【００４１】
図３、４、６に示されるのは、本考案のスマートフォンヘッドアップディスプレイＡの第３実施例であり、
ＳＤ（登録商標）カード或いはＵＳＢディスクの読み取りに用いられる携帯式保存媒体スロット１４と、
ＧＰＳシステムのメッセージを受け取り車両のポジショニングを行うＧＰＳモジュール１１と、
スマートフォンＳと接続され、ＧＰＳデータを該スマートフォンＳに伝送し、該スマートフォンＳからの関係表示データを受け取る、短距離無線伝送モジュール１２と、
内部に収容空間２１が設けられ、ならびに回路板２２が設置され、該回路板はプロセッサ１２とマルチメディア再生プログラムを包含し、該回路板２２は電気的に該ＧＰＳモジュール１１と該短距離無線伝送モジュール１２に接続され、データ処理と表示を行ない、上表面に表示開口２４が設けられた、ベースと、
立体音声出力ポート１３であって、該回路板２２に電気的に接続され、携帯式保存媒体スロット１４に挿入された携帯式保存媒体より該マルチメディア再生プログラムにより読み出した音楽ファイルのデータが該回路板２２を介して該立体音声出力ポート１３に伝送され、該立体音声出力ポート１３はならびに自動車音響装置８に接続され、該自動車音響装置８によりその音声を再生する、上記立体音声出力ポート１３と、
該回路板２２に電気的に接続され、該スマートフォンＳから送られた音声ファイル或いはアラーム音を再生するスピーカ２５と、
該回路板２２に電気的に接続され、該表示開口２４に設けられて該回路板２２の出力する映像を受け取り、映像を鏡像表示し、再生曲目を表示できる、表示モジュール３と、
該回路板２２に電気的に接続され、環境の輝度を検出し、該表示モジュール３の輝度を調整する、ホトセンスモジュール４と、
車両のウインドシールドガラス６内側に貼り付けられて、該表示モジュール３の映像を反射鏡像表示する半透明反射板５と、
を包含する。
【００４２】
該スマートフォンヘッドアップディスプレイＡはさらにマイクロホン８１を包含し、それは該回路板２２に電気的に接続され、該スピーカ２５と組み合わされて電話のハンドフリー装置の機能を兼ね備える。
【００４３】
上述の構成要件で構成されたスマートフォンヘッドアップディスプレイＡは、ドライバーが運転する前に、設定、たとえばナビゲーション設定、交通情報表示設定、及び重要リアルタイム情報表示設定を行える。走行開始後、該スマートフォンヘッドアップディスプレイＡは設定に基づき、自動表示し、ドライバーが随時操作する必要がなく、該表示モジュール３は交差点でのターン指示を自動表示し、該スピーカ２５は同時に音声でガイドする。該スマートフォンヘッドアップディスプレイＡはさらに、随時車両の走行速度を表示でき、スマートフォンＳと接続されていない時、内蔵のＧＰＳモジュール１１によりリアルタイムで走行速度を計算して表示モジュール３に表示する。該表示モジュール３は、関係情報を、鏡像表示の方式で、該半透明反射板５上に反射表示し、並びに情報映像のフレームＤを表示し、ドライバーが頭を下げてダッシュボードの速度メーターをみなくてもよくし、これにより、運転の安全に対して相当な貢献を果たす。
【００４４】
上述の立体音声出力ポート１３は、有線で該自動車音響装置８のＡＵＸ入力ポートに接続されるか、ＦＭ無線送信機とされ得て、それは、音声信号を無線で送信し、該自動車音響装置８のＦＭ受信機が該音声信号を受信する。
【００４５】
本考案のスマートフォンヘッドアップディスプレイＡは、該スマートフォンＳの音声出力（たとえば音楽再生）時に、さらに、該立体音声出力ポート１３を介して該自動車音響装置８の再生音声を伝送でき、該表示モジュール３が並びに楽曲名を表示する。
【００４６】
本考案のスマートフォンヘッドアップディスプレイＡは、さらにスピーカ２５とマイクロホン８１により、ハンドフリー通話の操作を行える。
【００４７】
以上の各実施例の表示モジュール３は、高輝度鏡像表示の機能を有し、該スマートフォンＳと無線接続されていない時に、車両の走行速度を表示できる。該スマートフォンＳと接続されているときは、走行速度のほか、該スマートフォンＳのそのＡＰＰプログラムの伝送する各種情報を表示できる。
【００４８】
以上の各実施例のベース２は、車両のダッシュボードの上方に置かれるか、ダッシュボードのウインドシールドガラス下方に埋め込まれる。
【００４９】
以上の各実施例の表示モジュール３は、その輝度が少なくとも２５００ｎｉｔを達成する。
【００５０】
以上の各実施例のスマートフォンヘッドアップディスプレイＡは、さらに撮影レンズ７を包含し、撮影レンズ７起動時に撮影レンズのフレーム表示に自動的に切り換え、後方映像表示機能を達成する。
【００５１】
以上の各実施例の短距離無線伝送モジュール１２は、ブルートゥース或いはＷｉＦｉとされる。
【符号の説明】
【００５２】
９０  コントロールユニット
９１  電源コントロールユニット
９２  ホトセンサ
９３  速度検出ユニット
９４  ＧＰＳユニット
９４１  ＧＰＳモジュール
９４２  ナビゲーションシステム
９５  ヘッドアップディスプレイユニット
９６  スピーカ
Ａ  スマートフォンヘッドアップディスプレイ
１１  ＧＰＳモジュール
１２  短距離無線伝送モジュール
１３  立体音声出力ポート
１４  携帯式保存媒体スロット
２  ベース
２１  収容空間
２２  回路板
２３  プロセッサ
２４  表示開口
２５  スピーカ
３  表示モジュール
４  ホトセンスモジュール
５  半透明反射板
６  ウインドシールドガラス
７  撮影レンズ
Ｓ  スマートフォン
Ｄ  フレーム
８  自動車音響装置
８１  マイクロホン
【図１】
0003183407.tif 000003
【図２】
0003183407.tif 000004
【図３】
0003183407.tif 000005
【図４】
0003183407.tif 000006
【図５】
0003183407.tif 000007
【図６】
0003183407.tif 000008